(57)【要約】【課題】  操作を案内する側の利用者の負担を軽減することができる操作案内システム、操作データ生成プログラム、操作イメージ表示プログラムおよび操作案内方法を提供する。【解決手段】  操作案内システムは、操作を案内する側の案内側装置としてのＭＦＰと、操作が案内される側の被案内側装置としてのＭＦＰとを備え、案内側装置としてのＭＦＰは、操作を受け付ける操作受付手段と、操作受付手段によって受け付けられた操作に応じて汎用の操作データを生成する操作データ生成手段とを備え、被案内側装置としてのＭＦＰは、操作データ生成手段によって生成された操作データに基づいて被案内側装置としてのＭＦＰにおける操作イメージを生成する（Ｓ１３５）操作イメージ生成手段と、操作イメージ生成手段によって生成された操作イメージを表示する（Ｓ１３６）操作イメージ表示手段とを備えることを特徴とする。【選択図】  図１０
2017050604.tif 000002
【特許請求の範囲】
【請求項１】
操作を案内する側の案内側装置と、
操作が案内される側の被案内側装置とを備え、
前記案内側装置は、
操作を受け付ける操作受付手段と、
前記操作受付手段によって受け付けられた操作に応じて汎用の操作データを生成する操作データ生成手段とを備え、
前記被案内側装置は、
前記操作データ生成手段によって生成された前記操作データに基づいて前記被案内側装置における操作イメージを生成する操作イメージ生成手段と、
前記操作イメージ生成手段によって生成された操作イメージを表示する操作イメージ表示手段とを備えることを特徴とする操作案内システム。
【請求項２】
前記案内側装置および前記被案内側装置は、それぞれ画像形成装置であることを特徴とする請求項１に記載の操作案内システム。
【請求項３】
操作を案内する側の案内側装置と、
操作が案内される側の被案内側装置とを備える操作案内システムの前記案内側装置によって実行される操作データ生成プログラムであって、
操作を受け付ける操作受付手段、および、
前記操作受付手段によって受け付けられた操作に応じて汎用の操作データを生成する操作データ生成手段として前記案内側装置を機能させることを特徴とする操作データ生成プログラム。
【請求項４】
操作を案内する側の案内側装置と、
操作が案内される側の被案内側装置とを備える操作案内システムの前記被案内側装置によって実行される操作イメージ表示プログラムであって、
汎用の操作データに基づいて前記被案内側装置における操作イメージを生成する操作イメージ生成手段、および、
前記操作イメージ生成手段によって生成された操作イメージを表示する操作イメージ表示手段として前記被案内側装置を機能させることを特徴とする操作イメージ表示プログラム。
【請求項５】
操作を案内する側の案内側装置と、
操作が案内される側の被案内側装置とによる操作案内方法であって、
前記案内側装置で操作を受け付ける操作受付ステップと、
前記操作受付ステップによって受け付けられた操作に応じて汎用の操作データを生成する操作データ生成ステップと、
前記操作データ生成ステップによって生成された前記操作データに基づいて前記被案内側装置における操作イメージを生成する操作イメージ生成ステップと、
前記操作イメージ生成ステップによって生成された操作イメージを前記被案内側装置で表示する操作イメージ表示ステップとを備えることを特徴とする操作案内方法。
【発明の詳細な説明】
【技術分野】
【０００１】
本発明は、装置における操作を案内するための操作案内システム、操作データ生成プログラム、操作イメージ表示プログラムおよび操作案内方法に関する。
【背景技術】
【０００２】
従来、操作を案内する側の案内側装置と、操作が案内される側の被案内側装置とを備える操作案内システムとして、被案内側装置の操作画面を案内側装置に表示し、表示した操作画面に対する操作を案内側装置で受け付け、受け付けた操作を被案内側装置で操作画面に表示するものが知られている（例えば、特許文献１，２参照。）。
【先行技術文献】
【特許文献】
【０００３】
【特許文献１】特開２００６−１４０８９８号公報
【特許文献２】特開２０１５−０２２４９２号公報
【発明の概要】
【発明が解決しようとする課題】
【０００４】
しかしながら、従来の操作案内システムにおいては、被案内側装置に案内するための操作を被案内側装置毎に案内側装置で受け付ける必要があり、案内側装置の利用者、すなわち、操作を案内する側の利用者の負担が少なくないという問題がある。
【０００５】
そこで、本発明は、操作を案内する側の利用者の負担を軽減することができる操作案内システム、操作データ生成プログラム、操作イメージ表示プログラムおよび操作案内方法を提供することを目的とする。
【課題を解決するための手段】
【０００６】
本発明の操作案内システムは、操作を案内する側の案内側装置と、操作が案内される側の被案内側装置とを備え、前記案内側装置は、操作を受け付ける操作受付手段と、前記操作受付手段によって受け付けられた操作に応じて汎用の操作データを生成する操作データ生成手段とを備え、前記被案内側装置は、前記操作データ生成手段によって生成された前記操作データに基づいて前記被案内側装置における操作イメージを生成する操作イメージ生成手段と、前記操作イメージ生成手段によって生成された操作イメージを表示する操作イメージ表示手段とを備えることを特徴とする。
【０００７】
この構成により、本発明の操作案内システムは、案内側装置で受け付けた操作に応じて汎用の操作データを生成し、生成した操作データに基づいて生成した被案内側装置における操作イメージを被案内側装置で表示するので、被案内側装置に案内するための操作を被案内側装置毎に案内側装置で受け付ける必要がない。したがって、本発明の操作案内システムは、操作を案内する側の利用者の負担を軽減することができる。
【０００８】
本発明の操作案内システムにおいて、前記案内側装置および前記被案内側装置は、それぞれ画像形成装置であっても良い。
【０００９】
この構成により、本発明の操作案内システムは、案内側装置および被案内側装置がそれぞれ画像形成装置という同一の種類の電子機器であるので、案内側装置および被案内側装置がそれぞれ異なる種類の電子機器である構成と比較して、被案内側装置に案内するために案内側装置で受け付け可能である操作の種類を増やすことができる。
【００１０】
本発明の操作データ生成プログラムは、操作を案内する側の案内側装置と、操作が案内される側の被案内側装置とを備える操作案内システムの前記案内側装置によって実行される操作データ生成プログラムであって、操作を受け付ける操作受付手段、および、前記操作受付手段によって受け付けられた操作に応じて汎用の操作データを生成する操作データ生成手段として前記案内側装置を機能させることを特徴とする。
【００１１】
この構成により、本発明の操作データ生成プログラムは、案内側装置で受け付けた操作に応じて汎用の操作データを生成するので、被案内側装置に案内するための操作を被案内側装置毎に案内側装置で受け付ける必要がない。したがって、本発明の操作データ生成プログラムは、操作を案内する側の利用者の負担を軽減することができる。
【００１２】
本発明の操作イメージ表示プログラムは、操作を案内する側の案内側装置と、操作が案内される側の被案内側装置とを備える操作案内システムの前記被案内側装置によって実行される操作イメージ表示プログラムであって、汎用の操作データに基づいて前記被案内側装置における操作イメージを生成する操作イメージ生成手段、および、前記操作イメージ生成手段によって生成された操作イメージを表示する操作イメージ表示手段として前記被案内側装置を機能させることを特徴とする。
【００１３】
この構成により、本発明の操作イメージ表示プログラムは、汎用の操作データに基づいて生成した被案内側装置における操作イメージを被案内側装置で表示するので、被案内側装置に案内するための操作を被案内側装置毎に案内側装置で受け付ける必要がない。したがって、本発明の操作イメージ表示プログラムは、操作を案内する側の利用者の負担を軽減することができる。
【００１４】
本発明の操作案内方法は、操作を案内する側の案内側装置と、操作が案内される側の被案内側装置とによる操作案内方法であって、前記案内側装置で操作を受け付ける操作受付ステップと、前記操作受付ステップによって受け付けられた操作に応じて汎用の操作データを生成する操作データ生成ステップと、前記操作データ生成ステップによって生成された前記操作データに基づいて前記被案内側装置における操作イメージを生成する操作イメージ生成ステップと、前記操作イメージ生成ステップによって生成された操作イメージを前記被案内側装置で表示する操作イメージ表示ステップとを備えることを特徴とする。
【００１５】
この構成により、本発明の操作案内方法は、案内側装置で受け付けた操作に応じて汎用の操作データを生成し、生成した操作データに基づいて生成した被案内側装置における操作イメージを被案内側装置で表示するので、被案内側装置に案内するための操作を被案内側装置毎に案内側装置で受け付ける必要がない。したがって、本発明の操作案内方法は、操作を案内する側の利用者の負担を軽減することができる。
【発明の効果】
【００１６】
本発明の操作案内システム、操作データ生成プログラム、操作イメージ表示プログラムおよび操作案内方法は、操作を案内する側の利用者の負担を軽減することができる。
【図面の簡単な説明】
【００１７】
【図１】本発明の一実施の形態に係る操作案内システムのブロック図である。
【図２】図１に示す案内側装置としてのＭＦＰのブロック図である。
【図３】図２に示す操作部および表示部の概略構成図である。
【図４】図１に示す被案内側装置としてのＭＦＰのブロック図である。
【図５】図４に示す操作部および表示部の概略構成図である。
【図６】図４に示す操作部レイアウト情報における操作部の全体の外観を示す画像の一例を示す図である。
【図７】図４に示す操作部レイアウト情報における画面の画像の一例を示す図である。
【図８】図２に示すＭＦＰの動作のフローチャートである。
【図９】図２に示す操作データの一例を示す図である。
【図１０】図４に示すＭＦＰの動作のフローチャートである。
【図１１】図１０に示す動作において表示される操作データ選択画面の一例を示す図である。
【図１２】操作イメージの一例における手順１を表示している場合の図５に示す表示部および操作部の概略構成図である。
【図１３】操作イメージの一例における手順２を表示している場合の図５に示す表示部および操作部の概略構成図である。
【発明を実施するための形態】
【００１８】
以下、本発明の一実施の形態について、図面を用いて説明する。
【００１９】
まず、本実施の形態に係る操作案内システムの構成について説明する。
【００２０】
図１は、本実施の形態に係る操作案内システム１０のブロック図である。
【００２１】
図１に示すように、操作案内システム１０は、操作を案内する側の案内側装置としてのＭＦＰ（Ｍｕｌｔｉｆｕｎｃｔｉｏｎ  Ｐｅｒｉｐｈｅｒａｌ）２０と、操作が案内される側の被案内側装置としてのＭＦＰ３０と、ＭＦＰ３０と同様の複数のＭＦＰとを備えている。案内側装置としてのＭＦＰ２０と、被案内側装置としてのＭＦＰとは、ＬＡＮ（Ｌｏｃａｌ  Ａｒｅａ  Ｎｅｔｗｏｒｋ）、インターネットなどのネットワーク１１を介して互いに通信可能に構成されている。
【００２２】
ＭＦＰ２０は、一般利用者に操作を案内するオペレーターによって利用される電子機器である。ＭＦＰ３０と、ＭＦＰ３０と同様の複数のＭＦＰとは、それぞれ、オペレーターによって操作が案内される一般利用者によって利用される電子機器である。
【００２３】
図２は、ＭＦＰ２０のブロック図である。
【００２４】
図２に示すように、ＭＦＰ２０は、種々の操作が入力されるボタンなどの入力デバイスである操作部２１と、種々の情報を表示するＬＣＤ（Ｌｉｑｕｉｄ  Ｃｒｙｓｔａｌ  Ｄｉｓｐｌａｙ）などの表示デバイスである表示部２２と、原稿から画像を読み取る読取デバイスであるスキャナー２３と、用紙などの記録媒体に印刷を実行する印刷デバイスであるプリンター２４と、図示していない外部のファクシミリ装置と公衆電話回線などの通信回線経由でファックス通信を行うファックスデバイスであるファックス通信部２５と、ネットワーク１１（図１参照。）経由で外部の装置と通信を行うネットワーク通信デバイスである通信部２６と、各種の情報を記憶する半導体メモリー、ＨＤＤ（Ｈａｒｄ  Ｄｉｓｋ  Ｄｒｉｖｅ）などの不揮発性の記憶デバイスである記憶部２７と、ＭＦＰ２０全体を制御する制御部２８とを備えている。
【００２５】
図３は、操作部２１および表示部２２の概略構成図である。
【００２６】
図３に示すように、操作部２１は、スキャナー２３（図２参照。）によって原稿から読み取った画像をプリンター２４（図２参照。）によって記録媒体に印刷するコピー機能に切り替えるためのＣＯＰＹボタン２１ａと、スキャナー２３によって原稿から読み取った画像をファックス通信部２５（図２参照。）によってＦＡＸ送信するファックス機能に切り替えるためのＦＡＸボタン２１ｂと、スキャナー２３によって原稿から読み取った画像を記憶部２７（図２参照。）などの特定の記憶先に記憶させるスキャナー機能に切り替えるためのＳＣＡＮボタン２１ｃと、通信部２６（図２参照。）によって受信した印刷データに基づいてプリンター２４によって記録媒体に画像を印刷するプリント機能に切り替えるためのＰＲＩＮＴボタン２１ｄと、テンキー２１ｅと、機能を実行するスタートボタン２１ｆと、機能の実行を停止するストップボタン２１ｇと、表示部２２とともにタッチパネルを構成するタッチパネル操作部２１ｈとを備えている。ＣＯＰＹボタン２１ａ、ＦＡＸボタン２１ｂ、ＳＣＡＮボタン２１ｃ、ＰＲＩＮＴボタン２１ｄ、テンキー２１ｅ、スタートボタン２１ｆ、ストップボタン２１ｇおよびタッチパネル操作部２１ｈは、ハードウェアである。
【００２７】
タッチパネル操作部２１ｈは、表示部２２に表示される画像によって異なるソフトウェアキーを構成することが可能である。例えば、図３に示す例では、表示部２２にはコピーを実行するためのコピー用画面４０が表示されており、タッチパネル操作部２１ｈは、ＭＦＰ２０（図２参照。）の図示していない手差しトレイから記録媒体を供給するための手差しトレイボタン２１ｉ、ＭＦＰ２０の図示していないトレイ１から記録媒体を供給するためのトレイ１ボタン２１ｊ、ＭＦＰ２０の図示していないトレイ２から記録媒体を供給するためのトレイ２ボタン２１ｋ、ＭＦＰ２０の図示していないトレイ３から記録媒体を供給するためのトレイ３ボタン２１ｌ、および、ＭＦＰ２０の図示していないトレイ４から記録媒体を供給するためのトレイ４ボタン２１ｍというソフトウェアキーを構成している。
【００２８】
図２に示すように、記憶部２７は、汎用の操作データを生成する操作データ生成プログラム２７ａを記憶している。操作データ生成プログラム２７ａは、ＭＦＰ２０の製造段階でＭＦＰ２０にインストールされていても良いし、ＳＤカード、ＵＳＢ（Ｕｎｉｖｅｒｓａｌ  Ｓｅｒｉａｌ  Ｂｕｓ）メモリーなどの外部記憶媒体からＭＦＰ２０に追加でインストールされても良いし、ネットワーク１１（図１参照。）上からＭＦＰ２０に追加でインストールされても良い。
【００２９】
記憶部２７は、汎用の操作データ２７ｂを複数記憶することが可能である。
【００３０】
制御部２８は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、制御部２８のＣＰＵの作業領域として用いられるＲＡＭ（Ｒａｎｄｏｍ  Ａｃｃｅｓｓ  Ｍｅｍｏｒｙ）とを備えている。制御部２８のＣＰＵは、記憶部２７または制御部２８のＲＯＭに記憶されているプログラムを実行する。
【００３１】
制御部２８は、記憶部２７に記憶されている操作データ生成プログラム２７ａを実行することによって、操作を受け付ける操作受付手段２８ａ、および、操作受付手段２８ａによって受け付けられた操作に応じて汎用の操作データを生成する操作データ生成手段２８ｂとして機能することが可能である。
【００３２】
図４は、ＭＦＰ３０のブロック図である。
【００３３】
図４に示すように、ＭＦＰ３０は、種々の操作が入力されるボタンなどの入力デバイスである操作部３１と、種々の情報を表示するＬＣＤなどの表示デバイスである表示部３２と、原稿から画像を読み取る読取デバイスであるスキャナー３３と、記録媒体に印刷を実行する印刷デバイスであるプリンター３４と、図示していない外部のファクシミリ装置と公衆電話回線などの通信回線経由でファックス通信を行うファックスデバイスであるファックス通信部３５と、ネットワーク１１（図１参照。）経由で外部の装置と通信を行うネットワーク通信デバイスである通信部３６と、各種の情報を記憶する半導体メモリー、ＨＤＤなどの不揮発性の記憶デバイスである記憶部３７と、ＭＦＰ３０全体を制御する制御部３８とを備えている。
【００３４】
図５は、操作部３１および表示部３２の概略構成図である。
【００３５】
図５に示すように、操作部３１は、スキャナー３３（図４参照。）によって原稿から読み取った画像をプリンター３４（図４参照。）によって記録媒体に印刷するコピー機能に切り替えるためのＣＯＰＹボタン３１ａと、スキャナー３３によって原稿から読み取った画像をファックス通信部３５（図４参照。）によってＦＡＸ送信するファックス機能に切り替えるためのＦＡＸボタン３１ｂと、スキャナー３３によって原稿から読み取った画像を記憶部３７（図４参照。）などの特定の記憶先に記憶させるスキャナー機能に切り替えるためのＳＣＡＮボタン３１ｃと、通信部３６（図４参照。）によって受信した印刷データに基づいてプリンター３４によって記録媒体に画像を印刷するプリント機能に切り替えるためのＰＲＩＮＴボタン３１ｄと、テンキー３１ｅと、機能を実行するスタートボタン３１ｆと、機能の実行を停止するストップボタン３１ｇと、表示部３２とともにタッチパネルを構成するタッチパネル操作部３１ｈとを備えている。ＣＯＰＹボタン３１ａ、ＦＡＸボタン３１ｂ、ＳＣＡＮボタン３１ｃ、ＰＲＩＮＴボタン３１ｄ、テンキー３１ｅ、スタートボタン３１ｆ、ストップボタン３１ｇおよびタッチパネル操作部３１ｈは、ハードウェアである。
【００３６】
タッチパネル操作部３１ｈは、表示部３２に表示される画像によって異なるソフトウェアキーを構成することが可能である。例えば、図５に示す例では、表示部３２にはコピーを実行するためのコピー用画面５０が表示されており、タッチパネル操作部３１ｈは、ＭＦＰ３０（図４参照。）の図示していないトレイ１から記録媒体を供給するためのトレイ１ボタン３１ｉ、ＭＦＰ３０の図示していないトレイ２から記録媒体を供給するためのトレイ２ボタン３１ｊ、ＭＦＰ３０の図示していないトレイ３から記録媒体を供給するためのトレイ３ボタン３１ｋ、および、ＭＦＰ３０の図示していない手差しトレイから記録媒体を供給するための手差しトレイボタン３１ｌというソフトウェアキーを構成している。
【００３７】
図４に示すように、記憶部３７は、ＭＦＰ３０における操作イメージを表示する操作イメージ表示プログラム３７ａを記憶している。操作イメージ表示プログラム３７ａは、ＭＦＰ３０の製造段階でＭＦＰ３０にインストールされていても良いし、ＳＤカード、ＵＳＢメモリーなどの外部記憶媒体からＭＦＰ３０に追加でインストールされても良いし、ネットワーク１１（図１参照。）上からＭＦＰ３０に追加でインストールされても良い。
【００３８】
記憶部３７は、操作部３１のレイアウトを示す操作部レイアウト情報３７ｂを記憶している。操作部レイアウト情報３７ｂは、操作部３１の全体の外観を示す画像６０（図６参照。）と、操作部３１の各ハードウェアの種類および画像６０におけるレイアウトと、表示部３２に表示される複数種類の画面の画像７０（図７参照。）と、表示部３２に表示される画面毎の各ソフトウェアキーの種類および画像７０毎におけるレイアウトとを含んでいる。
【００３９】
なお、図７に示す画像７０は、図５に示すコピー用画面５０と同一である。しかしながら、操作部レイアウト情報３７ｂには、図５に示すコピー用画面５０の画像７０だけでなく、表示部３２に表示される全ての種類の画面の画像７０が含まれている。
【００４０】
図４に示すように、記憶部３７は、汎用の操作データ３７ｃを複数記憶することが可能である。
【００４１】
制御部３８は、例えば、ＣＰＵと、プログラムおよび各種のデータを記憶しているＲＯＭと、制御部３８のＣＰＵの作業領域として用いられるＲＡＭとを備えている。制御部３８のＣＰＵは、記憶部３７または制御部３８のＲＯＭに記憶されているプログラムを実行する。
【００４２】
制御部３８は、記憶部３７に記憶されている操作イメージ表示プログラム３７ａを実行することによって、汎用の操作データに基づいてＭＦＰ３０における操作イメージを生成する操作イメージ生成手段３８ａ、および、操作イメージ生成手段３８ａによって生成された操作イメージを表示する操作イメージ表示手段３８ｂとして機能することが可能である。
【００４３】
次に、操作案内システム１０の動作について説明する。
【００４４】
まず、ＭＦＰ２０の動作について説明する。
【００４５】
図８は、ＭＦＰ２０の動作のフローチャートである。
【００４６】
ＭＦＰ２０の制御部２８は、汎用の操作データの生成が操作部２１を介して指示されると、図８に示す動作を実行する。
【００４７】
図８に示すように、制御部２８の操作受付手段２８ａは、操作部２１を介して入力される操作を受け付け（Ｓ１０１）、受け付けた操作の手順を示す操作手順情報を生成する（Ｓ１０２）。
【００４８】
次いで、制御部２８の操作データ生成手段２８ｂは、Ｓ１０２において生成された操作手順情報に基づいて汎用の操作データを生成して（Ｓ１０３）、生成した操作データを操作データ２７ｂとして記憶部２７に記憶する（Ｓ１０４）。
【００４９】
制御部２８は、Ｓ１０４の処理の後、図８に示す動作を終了する。
【００５０】
図９は、操作データ２７ｂの一例を示す図である。
【００５１】
図９に示す操作データ２７ｂは、タッチパネル操作部２１ｈの手差しトレイボタン２１ｉが押された後、スタートボタン２１ｆが押された場合の操作データである。
【００５２】
なお、ＭＦＰ２０によって生成された操作データ２７ｂは、ＭＦＰ２０からＳＤカード、ＵＳＢメモリー、ＰＣ（Ｐｅｒｓｏｎａｌ  Ｃｏｍｐｕｔｅｒ）などの外部の記憶媒体を介してＭＦＰ３０に操作データ３７ｃとして記憶されても良いし、ＭＦＰ２０からネットワーク１１を介して直接ＭＦＰ３０に操作データ３７ｃとして記憶されても良い。
【００５３】
次に、ＭＦＰ３０の動作について説明する。
【００５４】
図１０は、ＭＦＰ３０の動作のフローチャートである。
【００５５】
ＭＦＰ３０の制御部３８は、操作イメージ表示プログラム３７ａの起動が操作部３１を介して指示されると、操作イメージ表示プログラム３７ａを起動して図１０に示す動作を実行する。
【００５６】
図１０に示すように、制御部３８の操作イメージ生成手段３８ａは、記憶部３７上の操作データ３７ｃから１つを選択するための操作データ選択画面８０（図１１参照。）を表示部３２に表示する（Ｓ１３１）。
【００５７】
図１１は、操作データ選択画面８０の一例を示す図である。
【００５８】
図１１に示す操作データ選択画面８０は、それぞれ異なる操作データ３７ｃに対応付けられている「ガイダンス（１）」、「ガイダンス（２）」、「ガイダンス（３）」が含まれている。
【００５９】
なお、図１１に示す例では、操作データ選択画面８０には、操作データ３７ｃがそれぞれ「ガイダンス（１）」、「ガイダンス（２）」、「ガイダンス（３）」という表示名で表示されているが、操作データ３７ｃに表示名が含まれている場合には、操作データ３７ｃに含まれている表示名で操作データ３７ｃが表示されても良い。
【００６０】
図１０に示すように、操作イメージ生成手段３８ａは、操作データ選択画面８０において操作部３１を介して操作データ３７ｃが選択されたと判断するまで、操作データ選択画面８０において操作部３１を介して操作データ３７ｃが選択されたか否かを判断する（Ｓ１３２）。例えば、図１１に示す操作データ選択画面８０においては、「ガイダンス（１）」、「ガイダンス（２）」、「ガイダンス（３）」の何れかの表示名が選択されることによって、表示名に対応付けられた操作データ３７ｃが選択される。
【００６１】
操作イメージ生成手段３８ａは、操作データ選択画面８０において操作部３１を介して操作データ３７ｃが選択されたとＳ１３２において判断すると、選択されたと判断した操作データ３７ｃを記憶部３７から制御部３８のＲＡＭに読み込む（Ｓ１３３）。
【００６２】
次いで、操作イメージ生成手段３８ａは、記憶部３７上の操作部レイアウト情報３７ｂを制御部３８のＲＡＭに読み込む（Ｓ１３４）。
【００６３】
次いで、操作イメージ生成手段３８ａは、Ｓ１３３において読み込んだ操作データ３７ｃと、Ｓ１３４において読み込んだ操作部レイアウト情報３７ｂとに基づいてＭＦＰ３０における操作イメージを生成する（Ｓ１３５）。ここで、Ｓ１３３において読み込んだ操作データ３７ｃに基づいた操作をＭＦＰ３０において再現するために表示部３２における画面の遷移が必要である場合には、操作イメージには、表示部３２における画面の遷移イメージも含まれる。
【００６４】
次いで、制御部３８の操作イメージ表示手段３８ｂは、Ｓ１３５において生成された操作イメージを表示部３２に表示させる（Ｓ１３６）。
【００６５】
Ｓ１３６における表示が終了すると、操作イメージ生成手段３８ａは、再びＳ１３１の処理を実行する。
【００６６】
図１２は、操作イメージの一例における手順１を表示している場合の表示部３２および操作部３１の概略構成図である。図１３は、操作イメージの一例における手順２を表示している場合の表示部３２および操作部３１の概略構成図である。
【００６７】
図１２および図１３に示す操作イメージは、図９に示す操作データ２７ｂと同一の操作データ３７ｃに基づいて生成された操作イメージである。
【００６８】
操作イメージ表示手段３８ｂは、Ｓ１３６の処理を開始すると、図１２に示す操作イメージを表示部３２に表示する。図１２に示す操作イメージは、タッチパネル操作部３１ｈの手差しトレイボタン３１ｌ（図５参照。）を押す手順１を示している。図１２に示す操作イメージにおいて、タイトル９１、枠線９２および矢印９３は、ＭＦＰ３０の利用者による手順１の理解を容易にするために、操作イメージ生成手段３８ａによって追加された画像である。
【００６９】
次いで、操作イメージ表示手段３８ｂは、操作イメージにおける手順を進める操作が操作部３１に入力されると、図１２に示す操作イメージを表示部３２から消して、図１３に示す操作イメージを表示部３２に表示する。図１３に示す操作イメージは、スタートボタン３１ｆを押す手順２を示している。図１３に示す操作イメージにおいて、タイトル９４および矢印９５は、ＭＦＰ３０の利用者による手順２の理解を容易にするために、操作イメージ生成手段３８ａによって追加された画像である。なお、操作イメージにおける手順を進める操作としては、例えば、スタートボタン３１ｆ、ストップボタン３１ｇなどの何れかのハードウェアキーが押される操作や、タッチパネル操作部３１ｈが押される操作などの操作が採用されることができる。
【００７０】
次いで、操作イメージ表示手段３８ｂは、操作イメージにおける手順を進める操作が操作部３１に入力されると、図１３に示す操作イメージを表示部３２から消して、図１１に示す操作データ選択画面８０を表示部３２に表示する（Ｓ１３１）。
【００７１】
以上に説明したように、操作案内システム１０は、汎用の操作データ２７ｂをＭＦＰ２０で受け付けた操作に応じて生成し（Ｓ１０３）、生成した操作データ２７ｂ、すなわち、操作データ３７ｃに基づいてＳ１３５において生成したＭＦＰ３０における操作イメージをＭＦＰ３０で表示する（Ｓ１３６）ので、ＭＦＰ３０などの被案内側装置としてのＭＦＰに案内するための操作を被案内側装置としてのＭＦＰ毎にＭＦＰ２０で受け付ける必要がない。したがって、操作案内システム１０は、操作を案内する側の利用者、すなわちオペレーターの負担を軽減することができる。
【００７２】
操作案内システム１０は、案内側装置としてのＭＦＰ２０と、被案内側装置としてのＭＦＰとがそれぞれ画像形成装置という同一の種類の電子機器であるので、例えば案内側装置、被案内側装置がそれぞれＰＣ、ＭＦＰである構成など、案内側装置および被案内側装置がそれぞれ異なる種類の電子機器である構成と比較して、被案内側装置に案内するために案内側装置で受け付け可能である操作の種類を増やすことができる。
【００７３】
なお、操作案内システム１０は、本実施の形態において、一連の操作イメージをＳ１３６の処理によって案内している最中に、案内中の操作イメージと同一の操作を操作部３１を介して受け付けることができない。しかしながら、操作案内システム１０は、一連の操作イメージをＳ１３６の処理によって案内している最中に、表示部３２に表示中の操作イメージを縮小表示したり、案内中の操作イメージを一時的に表示部３２から消したりすることによって、案内中の操作イメージと同一の操作を操作イメージにおける手順毎に操作部３１を介して受け付けても良い。
【００７４】
本発明の案内側装置は、本実施の形態においてＭＦＰであるが、コピー専用機、プリンター専用機、ファクシミリ専用機、スキャナー専用機など、ＭＦＰ以外の画像形成装置であっても良いし、ＰＣなど、画像形成装置以外の電子機器であっても良い。
【００７５】
同様に、本発明の被案内側装置は、本実施の形態においてＭＦＰであるが、コピー専用機、プリンター専用機、ファクシミリ専用機、スキャナー専用機など、ＭＦＰ以外の画像形成装置であっても良いし、ＰＣなど、画像形成装置以外の電子機器であっても良い。
【００７６】
案内側装置および被案内側装置は、それぞれ異なる種類の電子機器であっても良い。
【符号の説明】
【００７７】
１０  操作案内システム
２０  ＭＦＰ（案内側装置）
２７ａ  操作データ生成プログラム
２７ｂ  操作データ
２８ａ  操作受付手段
２８ｂ  操作データ生成手段
３０  ＭＦＰ（被案内側装置）
３７ａ  操作イメージ表示プログラム
３７ｃ  操作データ
３８ａ  操作イメージ生成手段
３８ｂ  操作イメージ表示手段
【図１】
2017050604.tif 000003
【図２】
2017050604.tif 000004
【図３】
2017050604.tif 000005
【図４】
2017050604.tif 000006
【図５】
2017050604.tif 000007
【図６】
2017050604.tif 000008
【図７】
2017050604.tif 000009
【図８】
2017050604.tif 000010
【図９】
2017050604.tif 000011
【図１０】
2017050604.tif 000012
【図１１】
2017050604.tif 000013
【図１２】
2017050604.tif 000014
【図１３】
2017050604.tif 000015